(57)【特許請求の範囲】
【請求項１】
ある商品についての現在の最高の買値及び現在の最低の呼値を含む内部市場を有する市場情報を電子取引所から受信するステップ、
取引注文パラメータを設定するステップ、
現在の最高の買値である第１価格レベルを示す第１インジケータを、価格軸に沿った対応する第１エリアにコンピュータにより動的に表示するステップ、
現在の最低の呼値である第２価格レベルを示す第２インジケータを、価格軸に沿った対応する第２エリアにコンピュータにより動的に表示するステップ、
新たな内部市場を表すデータを受信することに伴い、第１インジケータ，第２インジケータの少なくとも一方が価格軸に沿った新たな価格レベルの位置に移動するよう、第１インジケータ，第２インジケータの動的表示を更新するステップ、
ユーザ入力装置からのコマンドにより価格レベルを選択し、前記取引注文パラメータと選択した価格レベルに基づく注文メッセージを電子取引所に送信するため、価格軸の価格レベルに対応する複数のエリアから成る注文エントリ領域を表示するステップ、
価格軸に沿った選定された価格レベルの位置に、電子取引所にエントリされた注文を表すエントリ注文インジケータを表示するステップ、
単一アクションによるコマンドを受け、エントリ注文インジケータと対応する位置を選択すると共に、電子取引所における注文を削除する削除コマンドを電子取引所に送信するステップ、
を有する方法。
【請求項２】
前記単一アクションによるコマンドは、ユーザ入力装置を単一クリックすることにより成される、請求項１に記載の方法。
【請求項３】
前記単一アクションによるコマンドは、ユーザ入力装置をダブルクリックすることにより成される、請求項１に記載の方法。
【請求項４】
更に、それぞれが価格軸に沿った価格レベルに対応する複数の領域から成る、エントリ注文インジケータを表示するエントリ注文領域を表示するステップ、を有する、請求項１に記載の方法。
【請求項５】
前記エントリ注文インジケータは、電子取引所における現在の状況を表示する、請求項１に記載の方法。
【請求項６】
現在の状況の表示は、電子取引所に注文が送られてから注文が成立して購入された又は売却された商品のロットの数を動的表示する、請求項５記載の方法。
【請求項７】
現在の状況の表示は、電子取引所に注文が送られてから注文が成立せず購入待ち又は売却待ち状態にある商品のロットの数を動的表示する、請求項５記載の方法。
【請求項８】
価格軸に沿った価格レベルが表示される、請求項１に記載の方法。
【請求項９】
価格軸は、垂直方法、水平方向、又は他の方向に延びている、請求項１に記載の方法。
【請求項１０】
更に、ユーザ入力装置のポインタを所望の価格レベルに対応する注文エントリ領域の特定エリアに配置して単一アクションを起こすことにより、所望の価格レベルに基づく注文価格パラメータの設定と、電子取引所への注文の送信の両方を行うコマンドであって、電子取引所に注文をエントリするためのコマンドを受けるステップを有する請求項１に記載の方法。
【請求項１１】
更に、価格軸に沿った価格レベルの位置を再配置する、再配置指令を受けるステップを有する請求項１に記載の方法。
【請求項１２】
前記再配置指令は、再センタリングコマンドである、請求項１１に記載の方法。
【請求項１３】
前記内部市場の変動により、前記第１インジケータ、第２インジケータが価格軸の中心部分からズレた場合、前記再センタリングコマンドにより、前記第１インジケータ、第２インジケータが価格軸の中心部分に戻る、請求項１２に記載の方法。
【請求項１４】
前記再センタリングコマンドは、ユーザ入力装置の操作により発せられる、請求項１２に記載の方法。
【請求項１５】
価格レベルに割り当てられた値が異なった値に変動すると、価格レベルの位置が変わる、請求項１１に記載の方法。
【請求項１６】
前記取引注文パラメータは、注文数量である、請求項１に記載の方法。
【請求項１７】
コンピュータに以下のステップを含む方法を実行させるためのプログラムを記録したコンピュータ読み取り可能な記録媒体であって、
ある商品についての現在の最高の買値及び現在の最低の呼値を含む内部市場を有する市場情報を電子取引所から受信するステップ、
取引注文パラメータを設定するステップ、
現在の最高の買値である第１価格レベルを示す第１インジケータを、価格軸に沿った対応する第１エリアにコンピュータにより動的に表示するステップ、
現在の最低の呼値である第２価格レベルを示す第２インジケータを、価格軸に沿った対応する第２エリアにコンピュータにより動的に表示するステップ、
新たな内部市場を表すデータを受信することに伴い、第１インジケータ，第２インジケータの少なくとも一方が価格軸に沿った新たな価格レベルの位置に移動するよう、第１インジケータ，第２インジケータの動的表示を更新するステップ、
ユーザ入力装置からのコマンドにより価格レベルを選択し、前記取引注文パラメータと選択した価格レベルに基づく注文メッセージを電子取引所に送信するため、価格軸の価格レベルに対応する複数のエリアから成る注文エントリ領域を表示するステップ、
価格軸に沿った選定された価格レベルの位置に、電子取引所にエントリされた注文を表すエントリ注文インジケータを表示するステップ、
単一アクションによるコマンドを受け、エントリ注文インジケータと対応する位置を選択すると共に、電子取引所における注文を削除する削除コマンドを電子取引所に送信するステップ、
を有する方法を記録した記録媒体。
【請求項１８】
請求項１７に記載の記録媒体であって、コンピュータに実行される方法は、更に次のステップを含む：
ユーザ入力装置のポインタを所望の価格レベルに対応する注文エントリ領域の特定エリアに配置して単一アクションを起こすことにより、所望の価格レベルに基づく注文価格パラメータの設定と、電子取引所への注文の送信の両方を行うコマンドであって、電子取引所に注文をエントリするためのコマンドを受けるステップ。
【請求項１９】
請求項１７に記載の記録媒体であって、前記単一アクションによるコマンドは、ユーザ入力装置を単一クリックすることにより成される。
【請求項２０】
請求項１７に記載の記録媒体であって、前記単一アクションによるコマンドは、ユーザ入力装置をダブルクリックすることにより成される。
【請求項２１】
請求項１７に記載の記録媒体であって、コンピュータに実行される方法は、更に次のステップを含む：
それぞれが価格軸に沿った価格レベルに対応する複数の領域から成る、エントリ注文インジケータを表示するエントリ注文領域を表示するステップ。
【請求項２２】
請求項１７に記載の記録媒体であって、前記エントリ注文インジケータは、電子取引所における現在の状況を表示する。
【請求項２３】
請求項２２に記載の記録媒体であって、現在の状況の表示は、電子取引所に注文が送られてから注文が成立して購入された又は売却された商品のロットの数を動的表示する。
【請求項２４】
請求項２２に記載の記録媒体であって、現在の状況の表示は、電子取引所に注文が送られてから注文が成立せず購入待ち又は売却待ち状態にある商品のロットの数を動的表示する。
【請求項２５】
請求項１７に記載の記録媒体であって、価格軸に沿った価格レベルが表示される。
【請求項２６】
請求項１７に記載の記録媒体であって、価格軸は、垂直方法、水平方向、又は他の方向に延びている。
【請求項２７】
請求項１７に記載の記録媒体であって、コンピュータに実行される方法は、更に次のステップを含む：
価格軸に沿った価格レベルの位置を再配置する、再配置指令を受けるステップ
【請求項２８】
請求項２７に記載の記録媒体であって、前記再配置指令は、再センタリングコマンドである。
【請求項２９】
請求項２８に記載の記録媒体であって、前記内部市場の変動により、前記第１インジケータ、第２インジケータが価格軸の中心部分からズレた場合、前記再センタリングコマンドにより、前記第１インジケータ、第２インジケータが価格軸の中心部分に戻る。
【請求項３０】
請求項２８に記載の記録媒体であって、前記再センタリングコマンドは、ユーザ入力装置の操作により発せられる。
【請求項３１】
請求項２７に記載の記録媒体であって、価格レベルに割り当てられた値が異なった値に変動すると、価格レベルの位置が変わる。
【請求項３２】
請求項１７に記載の記録媒体であって、前記取引注文パラメータは、注文数量である。
【請求項３３】
コンピュータに請求項１に記載の方法を実行させるためのプログラム。
【発明の詳細な説明】
【技術分野】
【０００１】
（優先権）
本出願は、２０００年３月２日出願の「市場深度表示のクリックによる取引及びマーキュリー表示」（Ｍａｒｋｅｔ  Ｄｅｐｔｈ  Ｄｉｓｐｌａｙ  Ｃｌｉｃｋ  Ｂａｓｅｄ  Ｔｒａｄｉｎｇ  ａｎｄ  Ｍｅｒｃｕｒｙ  Ｄｉｓｐｌａｙ）という名称の米国仮特許出願に対する優先権を主張し、この出願の内容は、言及することにより本明細書に組み込まれる。
【０００２】
（発明の分野）
本発明は、商品の電子取引を対象とする。具体的には、本発明は、取引を実行するための汎用性のある効率的なツールをトレーダに提供する。本発明は、商品に取引量および／または価格で取引することが可能なあらゆるものが含まれる商品の市場取引深度内で取引注文を表示し、迅速に取引注文をエントリするのを容易にする。
【背景技術】
【０００３】
（発明の背景）
世界中で少なくとも６０の取引所が、株式、債権、先物、オプション、およびその他の商品を取引するため、様々な度合いで電子取引を利用している。これらの電子取引は、次の３つの構成要素に基づく。メインフレーム・コンピュータ（ホスト）、通信サーバ、および取引参加者のコンピュータ（クライアント）。ホストは、完全にコンピュータ化された電子取引システムの電子的中心部を形成する。システムの動作は、注文を照合すること、注文簿および持高を維持すること、価格情報、ならびにオンライン取引日および夜間バッチ処理に関してデータベースを管理し、更新することをカバーする。また、ホストは、相場ベンダおよびその他の価格情報システムに対する不断のオンライン・コンタクトを維持する外部インターフェースを備えている。
【０００４】
トレーダは、次の３つのタイプの構造を介してホストにリンクすることができる。高速データ回線、高速通信サーバ、およびインターネット。高速データ回線は、クライアントとホストの間で直接接続を確立する。トレーダが物理的に位置する場所で世界中の戦略的アクセス・ポイントに高速ネットワークまたは通信サーバを構成することにより、別の通信を確立することもできる。データは、専用の高速通信回線を介してトレーダと取引所の間で双方向で伝送される。ほとんどの取引参加者は、障害の可能性に備える安全措置として、取引所とクライアント・サイトの間、または通信サーバとクライアント・サイトの間に２つの回線を設置する。また、取引所の内部コンピュータ・システムも、しばしば、システム可用性を確保する冗長措置としてバックアップを装備している。第３の接続は、インターネットを利用する。この場合、取引所およびトレーダは、インターネットに接続された高速データ回線を介して通信をやり取りする。これにより、トレーダが、インターネットに対して接続を確立することができる場所であればどこにでも位置することが可能になる。
【０００５】
接続が確立される仕方に関わらず、取引参加者のコンピュータにより、トレーダは、市場に参加することができる。トレーダは、自身のデスクトップ上に特化した対話式取引スクリーンを作成するソフトウェアを使用する。取引スクリーンにより、トレーダは、注文をエントリして実行し、市場相場を入手し、持高を監視することができるようになる。スクリーン上でトレーダが利用できる機能の範囲および品質は、実行される特定のソフトウェア・アプリケーションに応じて異なる。取引所の電子戦略の開発にオープン・インターフェースを設置することは、ユーザが、自身の取引スタイルおよび内部規定に応じて、自身が取引所にアクセスする手段を選択できることを意味する。
【０００６】
世界の株式取引所、債権取引所、先物取引所、およびオプション取引所は、急速に変化し乱高下する商品を有する。これらの市場で利益を上げるには、トレーダは、迅速に反応することができなければならない。最も機敏なソフトウェア、最速の通信、および最も高度な分析手法を有する熟練したトレーダは、自分または自身の会社の総決算を相当に向上させることができる。ほんの僅かな速度の利点が、動きの速い市場で相当な利益を生む可能性がある。今日の証券市場では、技術的に進んだインターフェースを欠いているトレーダは、競争上ひどく不利な立場にある。
【０００７】
市場に注文をエントリするのにトレーダがどのインターフェースを使用するかに関わらず、各市場は、すべてのトレーダに同じ情報を供給し、またすべてのトレーダに同じ情報を求める。市場における買いおよび売りが、市場データを構成し、取引所がこの情報を提供する場合、取引にログオンしたすべての人がこの情報を取得することができる。同様に、すべての取引所は、各注文にある情報が含められることを必要とする。例えば、トレーダは、商品の名称、取引量、制限、価格、および複数のその他の変量などの情報を供給しなければならない。この情報のすべてがなければ、市場は、その注文を受け付けない。情報のこの入力および出力は、すべてのトレーダに対して同じである。
【０００８】
これらの変量が一定である場合、競争上の速度の利点は、取引サイクルのその他の態様からもたらされなければならない。所与の商品に関して取引注文をエントリするのにかかる時間を分析すると、様々なステップが、必要とされる全体の時間に対して異なる量で寄与している。注文をエントリするのにかかる全体の時間のおよそ８％が、商品に関する価格をホストが生成した時点とクライアントがその価格を受け取った時点の間に経過する。クライアント・アプリケーションが価格をトレーダに表示するのにかかる時間が、およそ４％に相当する。取引注文がホストに伝送されるのにかかる時間が、およそ８％に相当する。注文をエントリするのにかかる全体の時間の残りの部分、およそ８０％は、トレーダが表示された価格を読み取り、取引注文をエントリするのに必要とされる時間に帰することが可能である。本発明は、取引サイクルの最も遅い部分の間、すなわち、トレーダが、手作業で自身の注文をエントリしている間に、相当な利点を提供する。この部分における時間の節約の価値が、年に数百万ドルにも相当する可能性があることをトレーダは、理解している。
【０００９】
既存のシステムでは、注文が市場に送られるのに先立って、注文の複数の要素が入力されなければならず、このことは、トレーダにとって時間がかかる。そのような要素には、商品記号、所望の価格、取引量、ならびに買い注文が所望されているのか、売り注文が所望されているのかが含まれる。トレーダが注文をエントリするのに時間がかかるほど、トレーダが買いたい価格、売りたい価格が市場で変化する、または利用できない可能性が高くなる。多数のトレーダが市場に同時に注文を送っているため、市場は流動的である。実際、成功している市場は、注文をエントリすることを望むどのトレーダも照合を見出し、注文が、即時ではないにしても迅速に満たされるような高い出来高を有するように努力する。そのような流動的な市場では、商品の価格は、急速に変動する。取引スクリーン上で、このことは、市場グリッド内の価格フィールドおよび取引量フィールドの急速な変化をもたらす。トレーダが、特定の価格で注文をエントリしようとするが、注文をエントリすることができる前に市場価格が動いたためにその価格を逸した場合、そのトレーダは、数百ドル、数千ドル、さらには数百万ドルを失う可能性がある。トレーダが取引できる速度が速いほど、トレーダが、自身の価格を逸する可能性が低くなり、また儲ける可能性が高くなる。
【発明の概要】
【発明が解決しようとする課題】
【００１０】
（発明の概要）
本発明者は、既存の取引システムの欠点を克服し、取引所において電子取引を行っているときにトレーダが取引を発注するのにかかる時間を劇的に短縮する本発明を開発した。これにより、トレーダの注文が所望の価格および所望の取引量で満たされる可能性が高まる。
【課題を解決するための手段】
【００１１】
本発明による「マーキュリー」表示及び取引方法は、垂直平面上または水平平面上に市場深度を表示することにより、取引の高速で正確な実行を確実にし、市場深度は、市場価格が変動するのにつれて平面全体を上下、左右に論理に従って変動する。これにより、トレーダは、迅速かつ効率的に取引を行うことができる。
【００１２】
具体的には、本発明は、市場で取引される商品の市場深度を表示するためのグラフィカル・ユーザ・インターフェースを対象とし、商品に対する市場における複数の買値および複数の呼値に関する動的表示、ならびに複数の買値および複数の呼値に対応する価格の静的表示を含む。この実施形態では、複数の買値および複数の呼値が、それに対応する価格と整列して動的に表示される。また、本明細書では、そのような表示を使用して取引注文をエントリするための方法およびシステムも説明する。
【００１３】
これらの実施形態、および本明細書でより詳細に説明するその他の実施形態は、電子取引において商品に関する取引注文をエントリする際、したがって、取引注文を実行する際により高い効率およびより高い汎用性をトレーダに提供する。本発明のその他の特徴および利点は、以下の詳細な説明から当分野の技術者には明白となる。ただし、詳細な説明および特定の例は、本発明の好ましい実施形態を示してはいるが、例として提供され、限定するものではないことを理解されたい。本発明の趣旨を逸脱することなく、本発明の範囲内で多くの変形および変更を行うことが可能であり、本発明は、すべてのそのような変更形態を含む。
【図面の簡単な説明】
【００１４】
【図１】複数の取引所とクライアント・サイトの間のネットワーク接続を示す図である。
【図２】取引されている所与の商品の内部市場および市場深度を示すスクリーン表示を示す図である。
【図３】本発明の「マーキュリー」表示を示す図である。
【図４】図３と比較して後の時点における値の動きを示す「マーキュリー」表示を示す図である。
【図５】「マーキュリー」取引方法を例示するために設定されたパラメータを有する「マーキュリー」表示を示す図である。
【図６】「マーキュリー」表示及び取引のためのプロセスを示す流れ図である。
【発明を実施するための形態】
【００１５】
（好ましい実施形態の詳細な説明）
添付の図面に関連して説明するとおり、本発明は、垂直平面上または水平平面上に市場深度を表示することによって取引の高速で正確な実行を確実にする表示及び取引方法を提供し、市場深度は、市場価格が変動するにつれて平面全体を上下、左右に論理に従って変動する。これにより、トレーダは、迅速かつ効率的に取引注文をエントリすることができる。商品の市場深度は、市場における現在の買値および呼値、ならびに買いの取引量および売りの取引量である。本発明の表示及び取引方法は、トレーダが、所望の価格および取引量で注文を実行することができる可能性を高める。
【００１６】
好ましい実施形態では、本発明は、コンピュータ上または電子端末上で実施される。コンピュータは、取引所と直接または間接に（中間デバイスを使用して）通信して、市場情報、商品情報、および取引注文情報を受信および送信することができる。コンピュータは、トレーダと対話し、取引所に送信される取引注文の内容および特性を生成することができる。本発明のシステムは、本明細書で説明する機能を行う処理能力を備えた任意の既存の、または将来の端末上またはデバイス上に実装できるものと想定されている。本発明の範囲は、使用する端末またはデバイスのタイプで限定されるものではない。さらに、本明細書は、端末表示に対するユーザ入力およびユーザ対話のための手段としてマウスの単一回のクリックをユーザの単一のアクションの例として記載している。これは、対話の好ましいモードを説明するが、本発明の範囲は、入力デバイスとしてマウスの使用に限定されることも、ユーザの単一のアクションとしてマウス・ボタンのクリックに限定されることもない。反対に、マウス・ボタンまたはその他の入力デバイスの１回のクリックを含むか、または複数回のクリックを含むかに関わらず、短い期間中のユーザによる任意のアクションが、本発明ではユーザの単一のアクションと見なされる。
【００１７】
システムは、単一の取引所において取引を可能にする、または複数の取引所において同時に取引を可能にするように構成することができる。複数の取引所との本発明のシステムの接続を図１に示している。この図は、ルータ１０４〜１０６を介してゲートウェイ１０７〜１０９に接続された複数の主取引所１０１〜１０３を示している。取引ステーションとして使用するための複数のクライアント端末１１０〜１１６が、ゲートウェイ１０７〜１０９に対する自らの接続を介して複数の取引所において取引を行うことができる。システムが、複数の取引所からデータを受信するように構成されている場合、好ましい実施形態は、様々な取引所からのデータを単一の形式に変換することである。この「変換」機能を図１に関連して以下に説明する。アプリケーション・プログラム・インターフェース（図に描いた「ＴＴ  ＡＰＩ」）が、異なる取引所からの着信データ形式を単一の好ましいデータ形式に変換する。この変換機能は、ネットワークの中の任意の場所に配置することができ、例えば、ゲートウェイ・サーバに、個々のワークステーションに、またはゲートウェイ・サーバと個々のワークステーションの両方に配置することができる。さらに、ゲートウェイ・サーバにおける記憶装置およびクライアント・ワークステーションにおける記憶装置、および／またはその他の外部記憶装置が、市場におけるクライアントのアクティブな注文、つまり、満たされても、取消されてもいない注文をリストする注文簿などの過去のデータをしまっておく。異なる取引所からの情報をクライアント・ワークステーションにおいて１つのウィンドウで表示する、または複数のウィンドウで表示することが可能である。したがって、本明細書の以降では取引端末が接続されている単一の取引所に言及するが、本発明の範囲は、本明細書で説明する取引方法に従い、単一の取引端末を使用して複数の取引所において取引を行う能力を含む。
【００１８】
本発明の好ましい実施形態は、「市場深度」の表示を含み、トレーダが、商品の市場深度を閲覧し、その市場深度の中で取引をコンピュータ・マウス・ボタンの単一回のクリックで実行することができるようにする。市場深度は、市場における現在の買値および呼値、ならびに買いの取引量および売りの取引量を有する注文簿を表す。言い換えれば、市場深度は、内部市場に加え、以下に記載する制限を受ける市場に入札されたそれぞれの買いおよび売りである。取引される商品に関して、「内部市場」とは、最高の買値および最低の呼値である。
【００１９】
取引所は、その取引所における各トレーダに価格情報、注文情報、およびエントリ情報を送信する。本発明は、この情報を処理し、簡単なアルゴリズムおよびマッピング・テーブルを介して、またはスクリーンにデータをマップする他の任意の同等のマッピング技法を介して、理論グリッド・プログラムの中の位置に情報をマップする。スクリーン・グリッドに対するそのような情報の物理マッピングは、当分野の技術者に周知の任意の技法で行うことができる。本発明は、データをスクリーン表示にマップするのに使用する方法で限定されるものではない。
【００２０】
本発明がどれだけの市場深度まで表示できるかは、どれだけの市場深度を取引所が提供するかに依存する。いくつかの取引所は、無限の市場深度を供給し、一方、他の取引所は、全く市場深度を提供しないか、または内部市場から数次までの深度しか提供しない。また、本発明のユーザは、どれだけの市場深度まで自身のスクリーン上に表示するかを選択することができる。
【００２１】
図２は、      に出願された出願番号      の「市場深度表示によるクリック・ベース取引」（Ｃｌｉｃｋ  Ｂａｓｅｄ  Ｔｒａｄｉｎｇ  ｗｉｔｈ  Ｍａｒｋｅｔ  Ｄｅｐｔｈ  Ｄｉｓｐｌａｙ）という名称の本出願の所有者によって共通に所有される同時係属出願で説明される発明のスクリーン表示を示し、この同時係属出願の内容は、言及することにより本明細書に組み込まれる。この表示は、取引される商品の内部市場および市場深度を示している。行１は、最良の（最高の）買値およびその取引量、ならびに最良の（最低の）呼値およびその取引量である商品に関する「内部市場」を表している。行２〜５は、取引される商品に関する「市場深度」を表している。本発明の好ましい実施形態では、市場深度の表示（行２〜５）は、提供される次善の買いを列２０３の中に、売りを列２０４の中にリストしている。また、各価格レベルに対する有効な買いの取引量および有効な売りの取引量もそれぞれ、列２０２および２０５の中に表示されている（内部市場−行１）。内部市場および市場深度に関する価格および取引量は、そのような情報が市場から中継されるにつれ、リアルタイムで動的に更新される。
【００２２】
図２に示すスクリーン表示において、取引されている商品（契約）が、文字列「ＣＤＨ０」によって行１の中に示されている。深度列２０８が、異なるカラーを表示することにより、ステータスをトレーダに知らせる。イエローは、プログラム・アプリケーションが、データを待っていることを示す。レッドは、市場深度が、サーバからデータを受信することに失敗し、「タイムアウト」になったことを示す。グリーンは、データが更新されたばかりであることを示す。この図およびその他のすべての図におけるその他の列の見出しは、次のとおり定義される。ＢｉｄＱｔｙ（Ｂｉｄ  Ｑｕａｎｔｉｔｙ）：各有効な買いに関する取引量、ＢｉｄＰｒｃ（Ｂｉｄ  Ｐｒｉｃｅ）：各有効な買いに関する価格、ＡｓｋＰｒｃ（Ａｓｋ  Ｐｒｉｃｅ）：各有効な売りに関する価格、ＡｓｋＱｔｙ（Ａｓｋ  Ｑｕａｎｔｉｔｙ）：各有効な売りに関する取引量、ＬａｓｔＰｒｃ（Ｌａｓｔ  Ｐｒｉｃｅ）：市場で照合した最新の買いと売りに関する価格、およびＬａｓｔＱｔｙ（Ｌａｓｔ  Ｑｕａｎｔｉｔｙ）：最新の価格で取引された取引量。Ｔｏｔａｌは、所与の商品の取引された取引量を表す。
【００２３】
スクリーン表示の構成自体が、既存のシステムよりも便利で効率的な仕方でユーザに通知を行う。トレーダは、市場深度を閲覧することによって相当な利点を得る。その理由は、トレーダが、市場における注文の動向を見ることができるからである。市場深度表示は、異なる価格レベルで市場が所与の商品に対して有する関心をトレーダに示す。大量の買いまたは売りが、市場においてトレーダの持高付近にある場合、トレーダは、内部市場が注文の泥沼に達する前に売る、または買うべきであると感じる可能性がある。内部市場を上回る、または下回る注文の欠如が、内部市場の付近で注文をエントリするようにトレーダに促す可能性がある。市場深度を見ることなしには、そのような戦略を全く利用することができない。動的市場深度が、取引される商品の買いの取引量および売りの取引量、ならびに買値および呼値を整列して、その商品の現在の内部市場の下に表示されることにより、直観的で容易に理解可能な仕方で情報がユーザに伝えられる。本発明の使用を介して、ユーザが、商品の取引の動向およびその他の関係のある特性をより容易に特定できる。
【００２４】
様々な省略語がスクリーン表示で使用され、具体的には、本明細書に再現したスクリーン表示の列の見出しで使用される。いくつかの省略語は、前に説明した。一般的な省略語およびその意味のリストを表１に提供する。
【表１】
0005442095.tif 000002
【００２５】
本明細書で説明するとおり、本発明の表示及び取引方法は、図２に示すような市場深度の表示が使用されるシステムに優るある利点をユーザに提供する。本発明の「マーキュリー」表示及び取引方法は、垂直平面上または水平平面上に市場深度を表示することによって取引の高速で正確な実行を確実にし、市場深度は、市場価格が変動するにつれて平面全体を上下、左右に論理に従って変動する。これにより、トレーダが、迅速で効率的に取引することが可能になる。そのような「マーキュリー」表示の例を図３のスクリーン表示に示している。
【００２６】
市場深度の表示、および市場深度の中でトレーダが取引を行う仕方は、多くのトレーダが実質的によりよく、より高速で、より正確であると感じる異なる仕方で実現することができる。さらに、いくらかのトレーダは、市場深度の表示が分かり難いと感じる可能性がある。図２に示した表示では、市場深度が垂直に表示され、したがって、買値と呼値がともにグリッドを下降する。買値は、価格が下がるにつれて市場グリッドを下降する。また、呼値も、価格が実際に上昇するのにつれて市場グリッドを下降する。いくらかのトレーダは、この組み合わせを直観に反し、分かり難いと考える可能性がある。
【００２７】
「マーキュリー」表示は、この問題を革新的で論理的な仕方で克服する。また、「マーキュリー」は、注文エントリシステム、市場グリッド、エントリウィンドウ、および市場注文の要約を１つの簡単なウィンドウの中で提供する。そのような凝縮された表示は、極めて効率的な仕方で取引をエントリし、追跡することによって取引システムを実質的に単純化する。「マーキュリー」は、市場深度を論理的に、垂直にまたは水平に、または他の何らかの好都合な角度または構成で表示する。便宜のために垂直フィールドを図に示し、説明しているが、フィールドは、水平であること、またはある角度にあることが可能である。「マーキュリー」は、取引の速度、ならびに所望の価格において所望の取引量で注文をエントリする可能性をさらに高める。本発明の好ましい実施形態では、「マーキュリー」表示は、価格の静的な垂直列であり、買いの取引量および売りの取引量が、価格の列の隣りの垂直列の中に表示され、対応する買値および呼値と整列される。この表示の例を図３に示している。
【００２８】
買いの取引量は、ＢｉｄＱとラベル付けされた列１００３の中にあり、また売りの取引量は、ＡｓｋＱとラベル付けされた列１００４の中にある。所与の商品に関する価格からの代表的ティック（ｔｉｃｋ）を列１００５の中に示している。列は、価格全体（例えば、９５．８９）をリストせず、代りに、最後の２桁（例えば、８９）だけをリストする。示した例では、内部市場は、セル１０２０で、８９（最善の買値）において１８（最善の買いの取引量）であり、９０（最善の呼値）において２０（最善の売りの取引量）である。本発明の好ましい実施形態では、これら３つの列は、異なるカラーで示され、トレーダが、それらの列を迅速に区別することができるようになっている。
【００２９】
価格の列の中の値は、静的であって、再センタリングコマンドを受けない限り（後に詳細に説明する）、通常、変化しない。ただし、Ｂｉｄ列およびＡｓｋ列の中の値は、動的であって、所与の商品に関する市場深度を反映するように（垂直の例では）上下に動く。ＬＴＱ列１００６は、商品の最新の取引量を示す。価格値に対する取引量値の相対ポジションが、その取引量が取引された価格を反映する。Ｅ／Ｗ（記帳された／有効な）とラベル付けされた列１００１が、トレーダの注文の現在のステータスを表示する。各注文のステータスは、記帳された価格の行の中で表示される。例えば、セル１００７の中で、Ｓの隣りの数字が、特定の行の中の価格において売却されたトレーダの注文したロットの数を示す。Ｗの隣りの数字は、市場にあるが、満たされていない、すなわち、システムがその注文を満たそうとしているトレーダの注文したロットの数を示す。この列の中のブランクは、その価格で記帳された注文または有効な注文を示す。セル１００８の中で、Ｂの隣りの数字は、その特定の行の中の価格において購入されたトレーダの注文したロットの数を示す。Ｗの隣りの数字は、市場にあるが、満たされていない、すなわち、システムがその注文を満たそうとしているトレーダの注文したロットの数を示す。
【００３０】
様々なパラメータが設定され、情報が列１００２において提供される。たとえば、セル１００９の「１０：４８：４４」は実際の時間を示す。セル１０１０のＬおよびＲフィールドは取引量の値を示し、これを、エントリ済の注文取引量に追加することができる。このプロセスを以下で、「マーキュリー」での取引に関して説明する。セル１０１１で、ＬおよびＲフィールドの下に、現在の市場数量を表す数が表示される。これは、選択された契約について取引されているロットの数である。セル１０１２「Ｘ１０」は正味取引量を表示し、これは選択された契約におけるトレーダの現在のポジションである。数「１０」は、トレーダの買いから売りを差し引いたものを表す。セル１０１３は「現在取引量」であり、このフィールドは、トレーダが市場に送る次の注文の取引量を表す。これを左右のクリック（上および下）により、あるいはセル１０１４の「現在取引量」の下に表示されるボタンをクリックすることによって調整することができる。これらのボタンは現在取引量を、指示された量だけ増加させ、たとえば、「１０」では１０だけ増加させ、「１Ｈ」では１００だけ増加させ、「１Ｋ」では１０００だけ増加させる。セル１０１５は「クリア」・ボタンであり、このボタンをクリックすると「現在取引量」フィールドがクリアされる。セル１０１６は「取引量明細」であり、これは、トレーダが３つの「取引量明細」から選択することができるプル・ダウン・メニューである。このプル・ダウン・メニューは、ウィンドウの矢印ボタンがクリックされたときに表示される。ウィンドウには、「ＮｅｔＰｏｓ」、「オフセット」、およびトレーダが数を入力することができるフィールドが含まれる。数をこのフィールドに入れると、デフォルトの買いまたは売りの取引量が設定される。このフィールドで「オフセット」を選択すると、セル１０１０のＬ／Ｒボタンが使用可能になる。このフィールドで「ＮｅｔＰｏｓ」を選択すると、現在の正味取引量（トレーダのネット・ポジション）がトレーダの次の取引のための取引量として設定される。セル１０１７は＋／−ボタンであり、これらのボタンは画面のサイズを、より大きく（＋）あるいはより小さく（−）変更する。セル１０１８はＮｅｔ  ０を呼び出すために使用され、このボタンをクリックすると「正味取引量」（セル１０１１）がゼロにリセットされる。セル１０１９は、Ｎｅｔ  Ｒｅａｌを呼び出すために使用され、このボタンをクリックすると「正味取引量」（セル１０１１）がその実際のポジションにリセットされる。
【００３１】
内部市場および市場深度は、市場の価格が増減するにつれて上昇かつ下降する。たとえば、図４は、図３のものと同じ市場であるが、後のインターバルで、内部市場、セル１１０１、が３チック上がったときを表示する画面を示す。ここでは、商品のための内部市場が９２（最適な買値）で４３（最適な買いの取引量）であり、９３（最適な呼値）で６３（最適な売りの取引量）である。図３および４を比較すると、価格列が静的なまま残っているが、対応する買いおよび売りは価格列を上がったことがわかる。市場深度は同様に価格列を上昇かつ下降し、市場の垂直的履歴を残す。
【００３２】
市場が価格列を上昇あるいは下降するにつれて、内部市場はトレーダの画面上に表示された価格列より上に行くか下に行く可能性がある。通常、トレーダは内部市場を見て将来の取引を査定できることを望む。本発明のシステムは、１クリックセンタリング機能によりこの問題に対処する。「Ｎｅｔ  Ｒｅａｌ」ボタンの下のグレーのエリア１０２１内でいずれかのポイントを単一回クリックすると、システムが内部市場をトレーダの画面上で再センタリングする。また、３つのボタン付きのマウスを使用しているとき、中央のマウス・ボタンをクリックすると、マウス・ポインタの位置にかかわりなく、内部市場がトレーダの画面上で再センタリングされる。
【００３３】
同じ情報および機能を水平方式で表示かつ使用可能にすることができる。市場が、図３および４に示す垂直「マーキュリー」表示を上昇かつ下降するように、水平「マーキュリー」表示においては市場が左右に移動する。データの動的表示から収集された同じデータおよび同じ情報が提供される。他の向きを使用してデータを動的に表示することができ、このような向きは本発明の範囲内に入るように意図されることは想定される。
【００３４】
次に、商品取引、および特に「マーキュリー」表示を使用した取引発注について記載する。「マーキュリー」表示および取引方法を使用して、トレーダは最初に所望の商品、および適用可能である場合はデフォルトの取引量を指定する。次いで、トレーダは右または左マウス・ボタンを単一回クリックして取引することができる。以下の式をシステムが使用して、取引注文を生成し、取引注文に関連付けられる取引量および価格を決定する。以下の略語がこれらの公式で使用される。すなわち、Ｐ＝クリックされた行の価格の値、Ｒ＝Ｒフィールドの値、Ｌ＝Ｌフィールドの値、Ｑ＝現在の取引量、Ｑａ＝ＡｓｋＱ列においてＰに等しいかそれよりよい価格の総取引量の合計、Ｑｂ＝ＢｉｄＱ列においてＰに等しいかそれより良好な価格の総取引量の合計、Ｎ＝現在ネット・ポジション、Ｂｏ＝市場に送られた買い注文、およびＳｏ＝市場に送られた売り注文である。
【００３５】
右マウス・ボタンを使用してエントリされた注文
Ｂｏ＝（Ｑａ＋Ｒ）Ｐ  （式１）ＢｉｄＱフィールドがクリックされた場合。
Ｓｏ＝（Ｑｂ＋Ｒ）Ｐ  （式２）ＡｓｋＱフィールドがクリックされた場合。
【００３６】
左マウス・ボタンを使用してエントリされた注文
取引量明細フィールドで「オフセット」モードが選択された場合、
Ｂｏ＝（Ｑａ＋Ｌ）Ｐ  （式３）ＢｉｄＱフィールドがクリックされた場合。
Ｓｏ＝（Ｑｂ＋Ｌ）Ｐ  （式４）ＡｓｋＱフィールドがクリックされた場合。
取引量明細フィールドで「数」モードが選択された場合、
Ｂｏ＝ＱＰ  （式５）
Ｓｏ＝ＱＰ  （式６）
取引量明細フィールドで「ＮｅｔＰｏｓ」モードが選択された場合、
Ｂｏ＝ＮＰ  （式７）
Ｓｏ＝ＮＰ  （式８）
【００３７】
市場において使用可能な取引量、トレーダによってあらかじめ設定された取引量、およびどのマウス・ボタンをトレーダがクリックするかに従って変化する取引量について、注文を市場へ送ることもできる。この機能を使用して、トレーダは市場における買いまたは売りのすべてを、選択された価格またはそれより良好な価格で、１クリックにより売買することができる。トレーダはまた、あらかじめ設定された取引量を、市場において発行済の取引量から加算あるいは減算することもできる。トレーダが取引セル、すなわちＢｉｄＱまたはＡｓｋＱ列をクリックした場合、トレーダは市場に注文をエントリする。注文のパラメータは、どのマウス・ボタンをトレーダがクリックするか、およびどのような値をトレーダがあらかじめ設定したかによって決まる。
【００３８】
図５の画面表示および値を使用して、「マーキュリー」表示および取引方法を使用した取引発注を、以下で実施例を使用して記載する。ＢｉｄＱ列１２０１の１８を左クリックすると、１７ロット（取引量明細プル・ダウン・メニュー・セル１２０４上で選択された取引量の数）の商品を８９の価格（Ｐｒｃ列１２０３において対応する価格）で売るための注文が市場に送られる。同様に、ＡｓｋＱ列１２０２の２０を左クリックすると、１７ロットを９０の価格で買うための注文が市場に送られる。
【００３９】
右マウス・ボタンを使用して注文が市場に送られ、これは市場においてその行における価格と等しいかそれより良好な価格の注文の合計取引量についてクリックされた行に、Ｒフィールド１２０５の取引量を加算したものに対応する価格である。したがって、８７の価格行のＡｓｋＱ列１２０２を右クリックすると、８７の価格で１５０の取引量の売り注文が市場に送られる。１５０は、取引量３０、９７、１８および５のすべての合計である。３０、９７および１８は、市場において、トレーダの売り注文価格の８７を満たすか、それよりよい取引量のすべてである。これらの取引量がＢｉｄＱ列１２０１に表示される。なぜならこの列が、市場において商品を対応する各価格で購入するための発行済の注文を表すからである。取引量５は、Ｒフィールド１２０５であらかじめ設定された取引量である。
【００４０】
同様に、同じ８７の価格レベルのＢｉｄＱ列１２０１を右クリックすると、８７の価格で５の取引量についての買い指値注文が市場に送られる。この取引量は上記と同じ方法で決定される。しかし、この実施例では、市場において、選択された価格に等しいかそれよりよい注文はなく、ＡｓｋＱ列１２０２にはこの価格に等しいかそれよりよい取引量はない。したがって、等しいかそれよりよい取引量の合計はゼロ（「０」）である。トレーダによってエントリされた合計注文は、Ｒフィールドの値である５となる。
【００４１】
左マウス・ボタン、および取引量明細フィールド１２０４において選択された「オフセット」オプションによりエントリされた注文は、上記と同じ方法で計算されるが、Ｌフィールド１２０６の取引量が、Ｒフィールド１２０５の取引量の代わりに加算される。したがって、９２の価格行のＢｉｄＱ列１２０１を左クリックすると、９２の価格で９６の取引量の買い注文が市場に送られる。９６は、取引量４５、２８、２０および３のすべての合計である。４５、２８および２０は、市場において、トレーダの買い注文価格の９２を満たすか、それよりよい取引量のすべてである。これらの取引量がＡｓｋＱ列１２０２に表示される。なぜならこれはこの列が、市場において商品を対応する各価格で売るための発行済の注文を表すからである。取引量３は、Ｌフィールド１２０６であらかじめ設定された取引量である。
【００４２】
ＬまたはＲフィールドの値は負の数になる可能性がある。これは実際上、市場に送られる合計取引量を減少させる。すなわち、８７の価格行のＡｓｋＱ列１２０２を右クリックする実施例では、Ｒフィールドが−５であった場合、市場に送られる合計取引量は１４０（３０＋９７＋１８＋（−５））となる。
【００４３】
トレーダが取引量明細フィールド１２０４で「ＮｅｔＰｏｓ」オプションを選択した場合、右クリックをするとなお上に説明したように動作する。左クリックをすると、クリックされた価格行に対応する価格およびトレーダの現在のネット・ポジションに等しい取引量の注文がエントリされる。トレーダのネット・ポジションは、選択された契約におけるトレーダの現在のポジションである。すなわち、トレーダが、自分が売ったものより１０だけ多い契約を買っていた場合、この値が１０となる。ＮｅｔＰｏｓは、右クリックにより送られた注文の取引量には影響を与えない。
【００４４】
トレーダが取引量明細で数値を選択した場合、左クリックをすると、トレーダによって選択された現在取引量についての注文が市場に送られる。現在取引量のデフォルト値は、取引量明細フィールドに入力された数となるが、これを、現在取引量フィールド１２０４の数字を調整することによって変更することができる。
【００４５】
本発明のこの実施形態により、トレーダが自分の有効な取引のすべてを、右または左のマウス・ボタンを最終取引量（ＬＴＱ）列１２０７内の任意の場所で単一回クリックすることにより、削除することもできる。これにより、トレーダが市場から即時に出ることができる。トレーダはこの機能を、自分が資金を失いつつあり、かつ損失が増えることを止めたいときに使用する。トレーダはまたこの機能を使用して、所望の収益が生じたときに市場からすぐに出ることもできる。本発明により、トレーダは特定の価格レベルの自分の注文のすべてを市場から削除することもできる。いずれかのマウス・ボタンでエントリ済／有効（Ｅ／Ｗ）列１２０８内をクリックすることにより、クリックされたセルにおけるすべての有効な注文が削除される。したがって、トレーダが、先に送った特定の価格の注文でまだ満たされていないものが不十分な取引になるだろうと考えた場合、トレーダはこれらの注文を単一回のクリックで削除することができる。
【００４６】
上述の本発明の「マーキュリー」表示および取引方法を使用した取引発注のプロセスを、図６の流れ図に示す。最初にステップ１３０１で、トレーダが「マーキュリー」表示を取引端末画面上に出し、これが所与の商品についての市場を示す。ステップ１３０２で、パラメータが、ＬおよびＲフィールドおよび「現在取引量」、「ＮｅｔＰｏｓ」または「オフセット」・フィールドなど、適切なフィールドにプル・ダウン・メニューから設定される。ステップ１３０３で、マウス・ポインタが「マーキュリー」表示におけるセル上に、トレーダによって位置付けられ、クリックされる。ステップ１３０４で、システムが、クリックされたセルが取引可能なセルである（すなわち、ＡｓｋＱ列またはＢｉｄＱ列にある）かどうかを決定する。そうでなかった場合、ステップ１３０５で、取引注文が作成あるいは送信されず、むしろ選択されたセルに基づいて他の取引量が調整されるか、あるいは機能が実行される。そうでない場合、ステップ１３０６で、システムが、クリックされたものがマウスの左ボタンであったか右ボタンであったかを決定する。これが右であった場合、ステップ１３０７で、システムがステップ１３１０で注文の合計取引量を決定するときにＲフィールドの取引量を使用する。左ボタンがクリックされた場合、ステップ１３０８で、システムが、オフセット、ＮｅｔＰｏｓまたは実際の数のうちどの取引量明細が選択されたかを決定する。
【００４７】
オフセットが選択された場合、ステップ１３０９で、システムがステップ１３１０で注文の合計取引量を決定するときにＬフィールドの取引量を使用する。ＮｅｔＰｏｓが選択された場合、ステップ１３１２で、システムが、取引注文のための合計取引量が現在のＮｅｔＰｏｓ値、すなわち所与の商品におけるトレーダのネット・ポジションになることを決定する。実際の数が取引量明細として使用された場合、ステップ１３１１で、システムが、取引注文のための合計取引量がエントリ済の現在取引量になることを決定する。ステップ１３１０で、システムは、取引注文のための合計取引量が、Ｒフィールドの値（ステップ１３０７が取られた場合）またはＬフィールドの値（ステップ１３０９が取られた場合）に、市場においてクリックされた行の価格より良好か、あるいはそれに等しい価格についてのすべての取引量を加算したものになることを決定する。これにより、市場においてトレーダによってエントリされている注文を満たすであろう各注文のための取引量（これにＬまたはＲの値を加算）を合計する。
【００４８】
ステップ１３１０、１３１１または１３１２の後、ステップ１３１３で、システムが、ＢｉｄＱまたはＡｓｋＱのうちどちらの列がクリックされたかを決定する。ＡｓｋＱがクリックされた場合、ステップ１３１４で、システムが売り指値注文を、すでに決定された合計取引量についての行に対応する価格で市場に送る。ＢｉｄＱがクリックされた場合、ステップ１３１５で、システムが買い指値注文を、すでに決定された合計取引量についての行に対応する価格で市場に送る。
【００４９】
上の本発明および特定の実施例の説明は、本発明の好ましい実施形態を示すものであるが、限定ではなく例として与えられるものであることを理解されたい。本発明の範囲内の多数の変更および修正を、その精神から逸脱することなく行うことができ、本発明はこのような変更および修正のすべてを含む。
【図１】
0005442095.tif 000003
【図２】
0005442095.tif 000004
【図３】
0005442095.tif 000005
【図４】
0005442095.tif 000006
【図５】
0005442095.tif 000007
【図６】
0005442095.tif 000008